(57)【特許請求の範囲】
【請求項１】
固定資産情報を記憶する記憶手段を有する情報機器と、
固定資産情報を記憶する記憶手段を有する周辺機器と、
上記情報機器ならびに上記周辺機器に記憶されている上記固定資産情報を管理する固定資産情報管理手段を有するサーバと
を備える固定資産情報管理システムにおいて、
上記サーバは、
上記情報機器と、この情報機器を介して上記周辺機器とに接続されていて、
上記情報機器および上記周辺機器の上記固定資産情報が入力される入力手段と、
上記入力手段で入力された上記情報機器および上記周辺機器の上記固定資産情報を、上記情報機器に送信する入力情報送信手段と、
ネットワークを介して、上記情報機器に、この情報機器および上記周辺機器の固定資産情報を要求する指令を送信する指令送信手段と、
上記情報機器の固定資産情報送信手段が送信した上記情報機器および上記周辺機器の上記固定資産情報を受信する固定資産情報受信手段と、
上記固定資産情報受信手段が受信した上記情報機器および上記周辺機器の上記固定資産情報を出力する出力手段と、
上記固定資産情報受信手段が受信した上記情報機器および上記周辺機器の上記固定資産情報を格納する固定資産情報格納手段とを備え、
上記情報機器は、
上記サーバと上記周辺機器とに接続されていて、
上記情報機器の記憶手段は、この情報機器の固定資産情報に加えて、上記周辺機器の固定資産情報も記憶し、
上記サーバの入力情報送信手段が送信した上記情報機器および上記周辺機器の上記固定資産情報を受信する入力情報受信手段と、
上記周辺機器に、この周辺機器の固定資産情報を要求する指令を送信する指令送信手段と、
上記指令送信手段から上記周辺機器に送信された指令に基づいて、上記周辺機器から送信された上記周辺機器の上記固定資産情報を受信する固定資産情報受信手段と、
上記入力情報受信手段が受信した上記周辺機器の上記固定資産情報を、上記周辺機器に送信する入力情報送信手段と、
上記ネットワークを介して上記サーバから指令を受信する指令受信手段と、
上記指令受信手段が受信したサーバからの指令に基いて、上記記憶手段に記憶された上記情報機器および上記周辺機器の上記固定資産情報を、上記サーバに送信する固定資産情報送信手段とを備え、
上記周辺機器は、
上記情報機器のみに接続されていて、
上記情報機器から指令を受信する指令受信手段と、
上記指令受信手段が受信した上記情報機器からの指令に基いて、上記記憶手段に記憶された上記周辺機器の上記固定資産情報を、上記情報機器に送信する固定資産情報送信手段と、
上記情報機器の入力情報送信手段で送信された上記周辺機器の上記固定資産情報を受信する入力情報受信手段と、
上記入力情報受信手段が受信した上記周辺機器の上記固定資産情報を、上記周辺機器の記憶手段に書き込む入力情報書込手段と
を備えることを特徴とする固定資産情報管理システム。
【請求項２】
請求項１に記載の固定資産情報管理システムにおいて、
上記周辺機器は、この周辺機器の固定資産情報を出力する出力手段を備えることを特徴とする固定資産情報管理システム。
【請求項３】
請求項２に記載の固定資産情報管理システムにおいて、
上記周辺機器は、上記サーバまたは情報機器の指令に基いて、上記周辺機器の記憶手段に記憶された固定資産情報を上記出力手段に出力させる出力制御手段を備えることを特徴とする固定資産情報管理システム。
【請求項４】
請求項２または３に記載の固定資産情報管理システムにおいて、
上記周辺機器は、固定資産情報の出力指令が入力される指令入力手段を備え、
上記出力制御手段は、上記指令入力手段に固定資産情報の出力指令が入力されると、上記周辺機器の記憶手段に記憶された固定資産情報を上記出力手段に出力させることを特徴とする固定資産情報管理システム。
【請求項５】
請求項１乃至４のいずれか１つに記載の固定資産情報管理システムにおいて、
上記周辺機器は画像表示装置であることを特徴とする固定資産情報管理システム。
【発明の詳細な説明】
【０００１】
【発明の属する技術分野】
本発明は、固定資産情報管理システムに関する。
【０００２】
【従来の技術】
近年、オフィスのＩＴ（情報技術）化が進み、数多くの情報機器がオフィスに導入されている。一般に、パソコンやディスプレイなどの情報機器の多くは高額であり、これらの情報機器は固定資産として管理している。従来、情報機器を固定資産として管理するために、上記情報機器の背面に、その情報機器の名称や、配置場所や、番号などを記した固定資産ラベルを貼っている。例えば情報機器の配置場所を変更する際、変更すべき情報機器に貼付された固定資産ラベルに記された内容に基いて台帳を照合し、この台帳と上記固定資産ラベルとの設置場所欄に記された設置場所を、新たな設置場所に書き換えている。
【０００３】
【発明が解決しようとする課題】
しかしながら、上記従来の固定資産ラベルを用いた固定資産管理は、数多くの情報機器を管理すると非常に手間がかかるという問題がある。
【０００４】
そこで、本発明の目的は、多くの情報機器の固定資産を容易に管理できる固定資産情報管理システムを提供することにある。
【０００５】
【課題を解決するための手段】
上記目的を達成するため、本発明の固定資産情報管理システムは、固定資産情報を記憶する記憶手段を有する情報機器と、
固定資産情報を記憶する記憶手段を有する周辺機器と、
上記情報機器ならびに上記周辺機器に記憶されている上記固定資産情報を管理する固定資産情報管理手段を有するサーバと
を備える固定資産情報管理システムにおいて、
上記サーバは、
上記情報機器と、この情報機器を介して上記周辺機器とに接続されていて、
上記情報機器および上記周辺機器の上記固定資産情報が入力される入力手段と、
上記入力手段で入力された上記情報機器および上記周辺機器の上記固定資産情報を、上記情報機器に送信する入力情報送信手段と、
ネットワークを介して、上記情報機器に、この情報機器および上記周辺機器の固定資産情報を要求する指令を送信する指令送信手段と、
上記情報機器の固定資産情報送信手段が送信した上記情報機器および上記周辺機器の上記固定資産情報を受信する固定資産情報受信手段と、
上記固定資産情報受信手段が受信した上記情報機器および上記周辺機器の上記固定資産情報を出力する出力手段と、
上記固定資産情報受信手段が受信した上記情報機器および上記周辺機器の上記固定資産情報を格納する固定資産情報格納手段とを備え、
上記情報機器は、
上記サーバと上記周辺機器とに接続されていて、
上記情報機器の記憶手段は、この情報機器の固定資産情報に加えて、上記周辺機器の固定資産情報も記憶し、
上記サーバの入力情報送信手段が送信した上記情報機器および上記周辺機器の上記固定資産情報を受信する入力情報受信手段と、
上記周辺機器に、この周辺機器の固定資産情報を要求する指令を送信する指令送信手段と、
上記指令送信手段から上記周辺機器に送信された指令に基づいて、上記周辺機器から送信された上記周辺機器の上記固定資産情報を受信する固定資産情報受信手段と、
上記入力情報受信手段が受信した上記周辺機器の上記固定資産情報を、上記周辺機器に送信する入力情報送信手段と、
上記ネットワークを介して上記サーバから指令を受信する指令受信手段と、
上記指令受信手段が受信したサーバからの指令に基いて、上記記憶手段に記憶された上記情報機器および上記周辺機器の上記固定資産情報を、上記サーバに送信する固定資産情報送信手段とを備え、
上記周辺機器は、
上記情報機器のみに接続されていて、
上記情報機器から指令を受信する指令受信手段と、
上記指令受信手段が受信した上記情報機器からの指令に基いて、上記記憶手段に記憶された上記周辺機器の上記固定資産情報を、上記情報機器に送信する固定資産情報送信手段と、
上記情報機器の入力情報送信手段で送信された上記周辺機器の上記固定資産情報を受信する入力情報受信手段と、
上記入力情報受信手段が受信した上記周辺機器の上記固定資産情報を、上記周辺機器の記憶手段に書き込む入力情報書込手段と
を備えることを特徴としている。
【０００６】
上記構成によれば、情報機器は、固定資産情報を記憶する記憶手段を有し、この記憶手段に記憶された上記情報機器の固定資産情報は、上記サーバの固定資産情報管理手段によって、ネットワークを介してアクセスされて、例えば固定資産情報の読出しや書込み、あるいは変更などが行われて管理される。したがって、従来におけるような固定資産ラベルを用いるよりも、容易に情報機器の固定資産情報が管理される。
【０００７】
１実施形態の固定資産情報管理システムは、上記情報機器は、
上記ネットワークを介して上記サーバから指令を受信する指令受信手段と、
上記指令受信手段が受信したサーバからの指令に基いて、上記記憶手段に記憶された上記固定資産情報を、上記サーバに送信する固定資産情報送信手段とを備え、
上記サーバは、
上記ネットワークを介して、上記情報機器に、この情報機器の固定資産情報を要求する指令を送信する指令送信手段と、
上記情報機器の固定資産情報送信手段が送信した上記固定資産情報を受信する固定資産情報受信手段と、
上記固定資産情報受信手段が受信した上記固定資産情報を出力する出力手段と、
上記固定資産情報受信手段が受信した上記固定資産情報を格納する固定資産情報格納手段と
を備える。
【０００８】
上記実施形態によれば、上記サーバの指令送信手段から、上記ネットワークを介して、上記情報機器の固定資産情報を要求する指令が上記情報機器に送信される。上記情報機器では、上記サーバからの指令が指令受信手段で受信されると、この指令に基いて、上記記憶手段に記憶された上記固定資産情報が、固定資産情報送信手段によって上記サーバに送信される。この送信された情報機器の固定資産情報は上記サーバの固定資産情報受信手段で受信され、この受信された固定資産情報は、上記サーバの出力手段によって出力されると共に、上記サーバの固定資産情報格納手段に格納される。したがって、上記情報機器が多数であっても、この情報機器の固定資産情報は、上記サーバに容易に収集される。
【０００９】
１実施形態の固定資産情報管理システムは、上記情報機器の固定資産情報は、上記情報機器の名称と、上記情報機器が配置されている場所と、上記情報機器を示す記号と、上記情報機器が購入された日付のうちの２つ以上を含む。
【００１０】
上記実施形態によれば、上記情報機器の名称と、上記情報機器が配置されている場所と、上記情報機器を示す記号と、上記情報機器が購入された日付のうちの２つ以上が、上記情報機器の固定資産情報として管理される。
【００１１】
１実施形態の固定資産情報管理システムは、上記サーバは、
情報が入力される入力手段と、
上記入力手段で入力された入力情報を、上記情報機器に送信する入力情報送信手段とを備え、
上記情報機器は、
上記サーバの入力情報送信手段が送信した上記入力情報を受信する入力情報受信手段と、
上記入力情報受信手段が受信した上記入力情報を、上記記憶手段に書き込む入力情報書込手段とを備える。
【００１２】
上記実施形態によれば、情報が上記サーバの入力手段から入力され、この入力された入力情報は入力情報送信手段によって上記情報機器に送信される。上記送信された入力情報は上記情報機器の入力情報受信手段で受信される。この受信された入力情報は、上記入力情報書込手段によって、この情報機器の記憶手段に書き込まれる。したがって、上記サーバを操作することによって、上記情報機器に、この情報機器の固定資産情報が書き込まれる。
【００１３】
１実施形態の固定資産情報管理システムは、上記情報機器は周辺機器に接続されていて、
上記情報機器の記憶手段は、この情報機器の固定資産情報と、上記周辺機器の固定資産情報とを記憶する。
【００１４】
上記実施形態によれば、上記情報機器の記憶手段に、この情報機器の固定資産情報と、この情報機器に接続された周辺機器の固定資産情報とが記憶され、したがって、上記情報機器の固定資産情報と共に周辺機器の固定資産情報が管理される。
【００１５】
１実施形態の固定資産情報管理システムは、上記周辺機器の固定資産情報は、上記周辺機器の名称と、上記周辺機器が配置されている場所と、上記周辺機器を示す記号と、上記周辺機器が購入された日付のうちの２つ以上を含む。
【００１６】
上記実施形態によれば、上記周辺機器の名称と、上記周辺機器が配置されている場所と、上記周辺機器を示す記号と、上記周辺機器が購入された日付のうちの２つ以上が、上記周辺機器の固定資産情報として管理される。
【００１７】
１実施形態の固定資産情報管理システムは、上記周辺機器は、
上記周辺機器の固定資産情報を記憶する記憶手段と、
上記情報機器から指令を受信する指令受信手段と、
上記指令受信手段が受信した上記情報機器からの指令に基いて、上記記憶手段に記憶された上記固定資産情報を、上記情報機器に送信する固定資産情報送信手段とを備え、
上記情報機器は、
上記周辺機器に、この周辺機器の固定資産情報を要求する指令を送信する指令送信手段と、
上記周辺機器の固定資産情報送信手段が送信した上記固定資産情報を受信する固定資産情報受信手段と、
上記固定資産情報受信手段が受信した上記固定資産情報を、上記情報機器の記憶手段に書き込む固定資産情報書込手段とを備える。
【００１８】
上記実施形態によれば、上記情報機器の指令送信手段から、上記周辺機器の固定資産情報を要求する指令が上記周辺機器に送信される。上記周辺機器では、上記情報機器からの指令が指令受信手段で受信されると、この指令に基いて、上記記憶手段に記憶された上記固定資産情報が、固定資産情報送信手段によって上記情報機器に送信される。この送信された上記周辺機器の固定資産情報は、上記情報機器の固定資産情報受信手段で受信され、上記情報機器の記憶手段に格納される。したがって、上記周辺機器に、この周辺機器の固定資産情報が保持されると共に、上記周辺機器に接続された情報機器に、この周辺機器の固定資産情報が書き込まれる。
【００１９】
１実施形態の固定資産情報管理システムは、上記情報機器は、
情報が入力される入力手段と、
上記入力手段で入力された入力情報を、上記周辺機器に送信する入力情報送信手段とを備え、
上記周辺機器は、
上記情報機器の入力情報送信手段で送信された上記入力情報を受信する入力情報受信手段と、
上記入力情報受信手段が受信した上記入力情報を、上記周辺機器の記憶手段に書き込む入力情報書込手段とを備える。
【００２０】
上記実施形態によれば、情報が上記情報機器の入力手段から入力され、この入力された入力情報は入力情報送信手段によって上記周辺機器に送信される。上記送信された入力情報は上記周辺機器の入力情報受信手段で受信される。この受信された入力情報は、上記入力情報書込手段によって、この周辺機器の記憶手段に書き込まれる。したがって、上記情報機器を操作することによって、上記周辺機器に、この周辺機器の固定資産情報が書き込まれる。
【００２１】
１実施形態の固定資産情報管理システムは、上記周辺機器は、この周辺機器の固定資産情報を出力する出力手段を備える。
【００２２】
上記実施形態によれば、上記周辺機器が備える出力手段に、この周辺機器の固定資産情報が出力される。したがって、上記周辺機器の固定資産情報が容易に確認される。
【００２３】
１実施形態の固定資産情報管理システムは、上記周辺機器は、上記サーバまたは情報機器の指令に基いて、上記周辺機器の記憶手段に記憶された固定資産情報を上記出力手段に出力させる出力制御手段を備える。
【００２４】
上記実施形態によれば、上記サーバまたは情報機器の指令に基いて、上記出力制御手段によって、上記周辺機器の固定資産情報が上記出力手段に出力される。したがって、上記周辺機器の固定資産情報が、上記サーバまたは情報機器の操作によって、容易に確認される。
【００２５】
１実施形態の固定資産情報管理システムは、上記周辺機器は、固定資産情報の出力指令が入力される指令入力手段を備え、
上記出力制御手段は、上記指令入力手段に固定資産情報の出力指令が入力されると、上記周辺機器の記憶手段に記憶された固定資産情報を上記出力手段に出力させる。
【００２６】
上記実施形態によれば、上記周辺機器では、指令入力手段に、この周辺機器の固定資産情報の出力指令が入力されると、この周辺機器の固定資産情報が上記出力手段に出力される。したがって、上記周辺機器の操作によって、この周辺機器の固定資産情報が容易に確認される。
【００２７】
１実施形態の固定資産情報管理システムは、上記周辺機器は画像表示装置である。
【００２８】
上記実施形態によれば、上記周辺機器は画像表示装置であり、この画像表示装置の固定資産情報が容易に管理される。
【００２９】
【発明の実施の形態】
以下、本発明を図示の実施の形態により詳細に説明する。
【００３０】
図１は、本発明の実施形態の固定資産情報管理システムの構成図である。この固定資産情報管理システムは、サーバ１００と、情報機器としての複数の一体型パソコン１０１、１０１・・・および複数のパソコン本体１０３、１０３・・・とがネットワーク１０７に接続されてなる。上記パソコン本体１０３は、ケーブル１０４を介して周辺機器としてのディスプレイ装置１０５に接続されている。上記一体型パソコン１０１は、パソコン本体とディスプレイ装置とが一体に形成されたパソコンである。
【００３１】
上記ネットワーク１０７は、イーサネット（登録商標）を使用したＬＡＮ（ローカル・エリア・ネットワーク）である。上記パソコン本体１０３とディスプレイ装置１０５とを接続するケーブル１０４は、ＶＧＡ（ビデオ・グラフィックス・アレイ）ケーブルである。このケーブルは、ＤＶＩ（デジタル・ビジュアル・インターフェース）ケーブルやＵＳＢ（ユニバーサル・シリアル・バス）ケーブルなど、画像信号と共にデータ信号の通信ができるケーブルであれば何でもよい。
【００３２】
上記サーバ１００は、図２に示すような構成を有し、ＣＰＵ（中央演算装置）２００と、ＲＯＭ（読出し専用メモリ）２０１と、ＲＡＭ（書込み読出し可能メモリ）２０２と、固定資産情報格納手段としてのハードディスク２０３と、出力手段としてのディスプレイ装置２０４と、入力手段としてのキーボード２０５およびマウス２０６と、ネットワークコントロールユニット２０７とを備える。
【００３３】
上記ＣＰＵ２００は、上記ＲＡＭ２０２にロードされたプログラムに基いて、このサーバを構成する各部の制御を行う。
【００３４】
上記ＲＯＭ２０１には、サーバで使用されるプログラムや固定データなどを記憶している。このＲＯＭ２０１に格納されたプログラムおよび固定データの一部や、上記ハードディスク２０３に格納されたプログラムは、必要に応じてＲＡＭ２０２にロードされる。
【００３５】
上記ハードディスク２０３には、サーバを固定資産情報管理手段として機能させる固定資産情報プログラム２０８が格納されていると共に、従来の固定資産台帳と同一の情報を格納する固定資産データベース２０９が形成されている。
【００３６】
上記ディスプレイ装置２０４は、液晶ディスプレイであり、上記ＣＰＵ２００の制御の下で情報が表示される。このディスプレイ装置２０４はＣＲＴ（カソード・レイ・チューブ）でもよい。
【００３７】
上記キーボード２０５およびマウス２０６は、上記ディスプレイ２０４の表示内容に対応して指令や情報が入力できる。これによって、例えばハードディスク２０３に形成された固定資産データベース２０９に格納されている情報の更新、変更、作成などを行う。
【００３８】
上記ネットワークコントロールユニット２０７は、ＬＡＮアダプタで構成されており、上記ネットワーク１０７を介して一体型パソコン１０１やパソコン本体１０３と情報の送受信を行う。すなわち、このネットワークコントロールユニット２０７は、上記ＣＰＵ２００の制御の下で、指令送信手段、固定資産情報管理システム資産情報受信手段、および、入力情報送信手段として機能する。なお、上記ネットワークコントロールユニット２０７はモデムを用いて構成してもよい。
【００３９】
上記ハードディスク２０３に記憶された固定資産情報プログラム２０８は、起動されると上記ＲＡＭ２０２に展開され、この展開されたプログラムに基いて上記ＣＰＵ２００が各部を制御するようになっている。例えば、上記キーボード２０５およびマウス２０６から、上記一体型パソコン１０１およびパソコン本体１０３の固定資産情報を調べる命令が操作者によって入力されると、上記一体型パソコン１０１およびパソコン本体１０３に、その一体型パソコン１０１およびパソコン本体１０３の固定資産情報をサーバに送信することを命じるコマンドが、上記ネットワークコントロールユニット２０７を介して送信される。上記コマンドに応じて上記一体型パソコン１０１およびパソコン本体１０３から固定資産情報のデータが送信されると、このデータを上記ネットワークコントロールユニット２０７が受け取り、この受け取られたデータをＣＰＵ２００が解析して、上記一体型パソコン１０１およびパソコン本来１０３の固定資産情報がディスプレイ装置２０４に出力される。また、上記ディスプレイ装置２０４に出力された情報に基いて、操作者がキーボード２０５およびマウス２０６で情報を入力すると、この情報が、固定資産情報の書換えを指令する旨のコマンドと共に送信される。また、上記ディスプレイ装置２０４を用いて、上記一体型パソコン１０１およびパソコン本体１０３から送信された固定資産情報と、上記固定資産情報データーベース２０９に格納されている情報との照合や、差分の検出などが、操作者に分かり易く行われるようになっている。
【００４０】
図３は、上記パソコン本体１０３の構成図であり、このパソコン本体１０３に接続されたディスプレイ装置１０５と共に示している。このパソコン本体１０３は、ＣＰＵ３００と、ＲＯＭ３０１と、ＲＡＭ３０２と、記憶手段としてのハードディスク３０３と、ビデオ出力ユニット３０４と、入力手段としてのキーボード３０５およびマウス３０６と、ネットワークコントロールユニット３０７と、ＵＳＢユニット３０８とを備える。
【００４１】
上記ＣＰＵ３００は、上記ＲＡＭ３０２にロードされたプログラムに基いて、このパソコン本体１０３およびディスプレイ装置１０５の制御を行う。
【００４２】
上記ＲＯＭ３０１は、フォントや、パソコン本体１０３で使用する各種プログラムや、データなどが記憶されており、それらの一部がＲＡＭ３０２にロードされて使用される。
【００４３】
上記ハードディスク３０３には、このパソコン本体１０３の固定資産情報３１０や、固定資産情報読出し書込みプログラム３１１や、このパソコン本体１０３で使用する各種プログラムおよびデータが格納されている。
【００４４】
上記ビデオ信号出力ユニット３０４は、上記ディスプレイ装置１０５に、画像情報としてのＲＧＢ信号を送出するためのインターフェースである。このビデオ信号出力ユニット３０４からの信号をディスプレイ装置１０５に伝送するＶＧＡケーブル１０４は、ＤＤＣ／ＣＩ（ディスプレイ・データ・チャンネル・コマンド・インターフェース）規格のものを用いると、上記画像情報を送出するとともにデータの送受信が可能になって、上記ＵＳＢユニット１０８と上記ＵＳＢケーブルとが削除できる。
【００４５】
上記キーボード３０５およびマウス３０６は、操作者がディスプレイ装置１０５に表示された情報に基いて、指令や情報を入力するのに用いられる。
【００４６】
上記ネットワークコントロールユニット３０７は、上記ネットワーク１０７を介して、このパソコン本体１０３と、上記サーバ１００や他のパソコン本体１０３および一体型パソコン１０１との間のデータの送受信を実行する。すなわち、このネットワークコントロールユニット３０７は、上記サーバ１００からの指令を受信する指令受信手段と、上記サーバ１００に固定資産情報を送信する固定資産情報送信手段、および、上記サーバ１００からの入力情報を受信する入力情報受信手段として機能する。このネットワークコントロールユニット３０７は、パソコン本体１０３がサスペンド状態の際、上記他のサーバ１００および情報機器１０１、１０３から信号を受取った場合にレジュームする機能を有してもよい。
【００４７】
上記ＵＳＢユニット３０８は、上記ディスプレイ装置１０５にＵＳＢケーブル３１３を介して接続されていて、上記ディスプレイ装置１０５との間で信号を送受信するようになっている。
【００４８】
上記ハードディスク３０３に格納された固定資産情報３１０は、図５に示すように、このパソコン本体１０３が配置されている場所としての資産管理部門と、固定資産番号と、このパソコン本体１０３を示す記号としての製品名と、このパソコン本体１０３が購入された日付としての購入日と、備考１と、備考２との項目が設けられたテーブルに、これらの項目に対応する情報が各々書き込まれて形成されている。なお、上記備考２の項目に対応する欄には情報が書き込まれていない。この固定資産情報は、不揮発性メモリに格納してもよい。
【００４９】
上記ハードディスク３０３に格納された固定資産情報読出し書込みプログラム３１１は、上記サーバー１００からの指令に基いて、上記ＲＡＭ３０２にロードされて、このパソコン本体１０３を固定資産情報管理システムの情報機器として機能させる。すなわち、上記ＣＰＵ３００の制御の下で、上記ハードディスク３０３に格納された固定資産情報３１０を示すデータを、上記ネットワークコントロールユニット３０７によって上記サーバ１００に送出させたり、上記サーバ１００から受信した書換えデータを用いて、上記固定資産情報３１０の所定の情報を書換えたりするようになっている。また、上記ＣＰＵ３００の制御の下で、上記ＵＳＢユニット３０８によってＵＳＢケーブル３１３を介して上記ディスプレイ装置１０５と情報を送受信する。すなわち、上記ディスプレイ装置１０５内に格納されている固定資産情報を読み込んだり、上記ディスプレイ装置１０５に、固定資産情報を書込んだりするようになっている。上記ディスプレイ装置１０５から読み込んだ固定資産情報は、上記ネットワークコントロールユニット３０７によって上記サーバ１００に送出される。
【００５０】
図４は、上記パソコン本体１０３に接続されたディスプレイ装置１０５の構成図である。
【００５１】
このディスプレイ装置１０５は、ＡＤ（アナログ・デジタル）コンバータ４０１と、グラフィックエンジン４０２と、表示ユニット４０５と、クロック発生器４０６と、ＣＰＵ４０７と、ＲＡＭ４０８と、ＲＯＭ４０９と、フラッシュメモリ４１０と、キーコントローラ４１１と、フレームバッファ４１４と、ＵＳＢユニット４１６とを備える。
【００５２】
上記ＡＤコンバータ４０１は、上記パソコン本体１０３からＶＧＡケーブル１０４を介して受取ったアナログのＲＧＢ信号を、デジタル信号に返還してグラフィックエンジンに送出するようになっている。
【００５３】
上記グラフィックエンジン４０２は、上記ＡＤコンバータ４０１で変換されたデジタル信号を、補正などの画像処理を行って、この処理された信号を上記表示ユニット４０５に送出する。
【００５４】
上記表示ユニット４０５は、表示デバイスとこの表示デバイスのコントローラとを含むユニットであり、ＬＣＤ（液晶ディスプレイ）パネルと、ＬＣＤドライバと、ＬＣＤコントローラとを含んでいる。この表示ユニット４０５は、上記グラフィックエンジン４０２から受取った信号に応じて、所定の画像を表示デバイス、すなわちＬＣＤパネルに表示するようになっている。
【００５５】
上記クロック発生器４０６は、このディスプレイ装置１０５の構成部品の処理を同期させるための同期信号を発生する。
【００５６】
上記ＣＰＵ４０７は、このディスプレイ装置１０５の構成部品の制御や、ＯＳおよび各種ドライバの実行を行う。
【００５７】
上記ＲＡＭ４０８は、上記ＣＰＵ４０７が動作するときのコード領域やデータ領域に用いられる。
【００５８】
上記ＲＯＭ４０９は、上記ＣＰＵ４０７が実行するプログラムのコードや、初期データ、あるいは上記ＣＰＵ４０７がグラフィックエンジン４０２を制御する際に用いるパラメータなどを格納している。
【００５９】
上記フラッシュメモリ４１０は、上記ＣＰＵ４０７でプログラムが実行される際、スタティックな記憶領域として利用され、このディスプレイ装置１０５の固定資産情報４１５がこのフラッシュメモリ内に格納されている。このフラッシュメモリ４１０は、Ｅ２ＰＲＯＭ（エレクトリカリ・イレーサブル・プログラマブル・リード・オンリー・メモリ）でもよく、不揮発性のメモリであれば、どのような種類のメモリでもよい。
【００６０】
上記キーコントローラ４１１は、このディスプレイ装置１０５に装備されている図示しないキー、すなわち入力ボタンからの入力信号を受取って、所定の部品を制御する。
【００６１】
上記フレームバッファ４１４は、上記パソコン本体１０３からの画像情報以外の情報であって上記表示ユニット４０５に表示させる情報を、上記グラフィックエンジン４０２に送出するために蓄えるＲＡＭである。このフレームバッファ４１４には、上記ＣＰＵ４０７で実行されるプログラムによって、表示ユニット４０５に表示すべき情報が貯えられる。
【００６２】
上記ＵＳＢユニット４１６は、上記パソコン本体１０３のＵＳＢユニット３０８にＵＳＢケーブル３１３を介して接続されて、上記パソコン本体１０３のＵＳＢユニット３０８とデータの送受信を行う。
【００６３】
上記フラッシュメモリ４１０に記憶された上記ディスプレイ装置１０５の固定資産情報４１５は、上記パソコン本体１０３の固定資産情報３１０と同様に、図五に示すようなテーブルからなり、各々の項目に対応する情報が書き込まれている。このディスプレイ装置１０５の固定資産情報４１５は、上記パソコン本体１０３の固定資産情報３１０と同一のフォーマットで記されている。なお、上記固定資産情報４１５は、フラッシュメモリ４１０以外のメモリや、ハードディスクなどに記憶してもよい。また、上記固定資産情報以外の例えば機器の管理者名や、メモリー容量、やＣＰＵなどのハードウエアスペック情報や、オプション機器の有無などの情報を格納しても良い。
【００６４】
図１の固定資産情報管理システムに含まれる一体型パソコン１０１は、上記パソコン本体１０３の構成部と、上記ディスプレイ装置１０５の構成部とを一体に備えて形成されている。したがって、上記一体型パソコン１０１は、上記ディスプレイ装置１０５に接続されたパソコン本体１０３と、略同一の機能を有して略同一の動作をする。
【００６５】
上記構成のサーバ１００と、上記パソコン本体１０３およびディスプレイ装置１０５と、上記一体型パソコン１０１とを備える固定資産情報管理システムは、以下のように動作する。
【００６６】
上記サーバ１００の操作者によって、上記ハードディスク２０３に格納された固定資産情報プログラム２０８が起動され、この固定資産情報管理システムに含まれる情報機器の固定資産情報を調べる命令が入力される。そうすると、上記サーバ１００のネットワークコントロールユニット２０７を介して、固定資産情報をサーバに送信する旨のコマンドが、ネットワーク１０７を経由して、この固定資産情報管理システムに含まれる複数のパソコン本体１０３、１０３・・・と、複数の一体型パソコン１０１、１０１・・・に送信される。このコマンドを受け取った上記パソコン本体１０３は、上記ハードディスク３０３に格納された固定資産情報３１０の内容を示すデータを、上記サーバ１００に送信する。また、上記パソコン本体１０３は、このパソコン本体１０３に接続された上記ディスプレイ装置１０５の固定資産情報を調べて、このディスプレイ装置１０５の固定資産情報の内容を示すデータを上記サーバ１００に送信する。上記一体型パソコン１０１もまた、上記パソコン本体１０３と同様にハードディスクに格納された固定資産情報の内容を示すデータを、上記サーバ１００に送信する。上記データを受信した上記サーバ１００は、上記複数のパソコン本体１０３、１０３・・・およびディスプレイ装置１０５、１０５・・・と、上記複数の一体型パソコン１０１、１０１・・・とについての固定資産情報を集計して、この集計結果を上記ディスプレイ装置２０４に表示する。また、上記パソコン本体１０３、１０３・・・と、上記ディスプレイ装置１０５、１０５・・・と、上記一体型パソコン１０１、１０１・・・とについての固定資産情報を、上記ハードディスクの固定資産情報データベース２０９に格納する。
【００６７】
図６は、上記サーバ１００と、パソコン本体１０３と、ディスプレイ装置１０５とで実行される処理を、上記サーバ１００と、１台のパソコン本体１０３およびディスプレイ装置１０５とについて示したフローチャートである。以下、図６を用いて、上記サーバ１００が、上記パソコン本体１００およびディスプレイ装置１０５から固定資産情報を得る工程を、時系列で説明する。
【００６８】
まず、サーバにおいて、固定資産情報プログラム２０８が起動されて、処理が開始される。
【００６９】
続いて、操作者の操作に対応して、サーバ１００がパソコン本体１０３に固定資産情報を要求するコマンドを送信する（Ｓ６０１）。図７は、上記コマンドの一例である。このコマンドは、ヘッダ部７０１とデータ部７０２とで構成されており、上記ヘッダ部７０１には、サーバ１００とパソコン本体１０３との通信プロトコルに応じたヘッダを使用する。上記データ部７０２には、サーバー１００とパソコン本体１０３との間で予め決めておいた命令に対応する値を記入するようにしておき、図７では、固定資産情報を要求する命令を示すコマンド値である０１を記入している。
【００７０】
一般的なＬＡＮ接続では、ブロードキャストコマンドを利用してメッセージを発信することにより、ネットワーク上のすべての情報機器に対して、固定資産情報の要求コマンドが発信される。サーバと情報機器との間の送受信のプロトコルは、一般的にはＴＣＰやＵＤＰなどが使用されることが多いが、他のプロトコルでもよい。
【００７１】
続いて、ネットワークを介して送信された上記固定資産情報を要求するコマンドを、パソコン装置１０３が受信する。（Ｓ６０２）、
上記パソコン装置１０３では、上記コマンドを受信すると、このコマンドのデータ内容を解釈して、その内容が固定資産情報を要求する内容であれば、ハードディスク３０３に格納されている固定資産情報読出し書込みプログラムを起動する（Ｓ６０３）。上記パソコン装置１０３は、上記受信したコマンドの内容が上記固定資産情報を要求する内容であれば、上記固定資産情報読出し書込みプログラムを起動するようにしておく。
【００７２】
上記固定資産情報読出し書込みプログラムが起動されて、上記ハードディスク３０３に格納されている固定資産情報を読み出し（Ｓ６０４）、この固定資産情報の内容をＲＡＭ３０２に保存する。
【００７３】
次に、固定資産情報読出し書込みプログラムの動作の下で、このパソコン本体１０３に接続されているディスプレイ装置１０５に対して、ＵＳＢケーブル３１３を介して固定資産情報要求コマンドを送信する（Ｓ６０５）。ここにおいて、上記ＵＳＢケーブルを介さずに、ＶＧＡケーブルを介してコマンドを送信してもよく、また、ＤＶＩケーブルでパソコン本体１０３とディスプレイ装置１０５とを接続して、ＤＤＣ／ＣＩ規格のデータによってコマンドを送信してもよい。
【００７４】
上記固定資産情報要求コマンドをディスプレイ装置１０５が受信すると（Ｓ６０６）、このディスプレイ装置１０５は、上記コマンドが固定資産情報要求コマンドであると解釈した場合、フラッシュメモリの所定のエリアから固定資産情報を読み出す（Ｓ６０７）。続いて、上記ＵＳＢケーブル３１３による通信経路を介して、上記固定資産情報の内容を示すデータをパソコン本体１０３に送信する（Ｓ６０８）。
【００７５】
上記パソコン本体１０３は、上記ディスプレイ装置１０５から固定資産情報のデータを受信すると（Ｓ６０９）、このディスプレイ装置１０５の固定資産情報のデータと共にパソコン本体１０３の固定資産情報のデータを、サーバ１００に送信する（Ｓ６１０）。図８（ａ）、（ｂ）は、上記パソコン本体１０３からサーバに送信されるデータの一例を示す図である。この固定資産情報のデータも、基本的な構造は、図７に示した固定資産情報要求コマンドのデータの構造と同じであり、ヘッダ部８０１とデータ部８０２とで構成されている。パソコン本体とディスプレイ装置との両方が固定資産情報を有する場合、上記固定資産情報のデータは、図８（ａ）に示すように、パソコン本体１０３の固定資産情報とディスプレイ装置１０５の固定資産情報とが連続して記されたデータの構造を有する。パソコン本体のみが固定資産情報を有する場合は、図８（ｂ）に示すようなパソコン本体の固定資産情報のみを有するデータが、サーバ１００に送信される。
【００７６】
上記サーバ１００は、上記パソコン本体１０３から上記固定資産情報のデータを受信し（Ｓ６１１）、上記固定資産情報プログラムの動作の下で、上記固定資産情報のデータの内容を解析して、これによって得られた固定資産情報を表にして、サーバのディスプレイ装置２０４に表示する（Ｓ６１２）。このディスプレイ装置２０４に表示される表は、従来の固定資産台帳に記していた固定資産情報と同様の情報が記されている。図９は、上記サーバのディスプレイ装置２０４に表示された表９０１の一例である。この表９０１には、ネットワークに接続された複数のパソコン本体およびディスプレイ装置の固定資産情報が記されている。この表９０１では、表記順の番号と、固定資産番号と、管理部門と、製品名と、購入日と、備考１と、関係機種との項目に対応して、各々の情報が記入される。上記関係機種の項目は、その情報機器が他の情報機器に接続されている場合、その接続された情報機器の固定資産情報が記入されるようになっている。例えば、番号５の固定資産番号ＡＢＣ−０００４のモニターは、固定資産番号がＡＢＣ−００７８の情報機器、すなわち、番号４のパソコンに接続されていることが分かる。この図９に表示された表と同様のテーブルが、上記サーバ１００のハードディスク２０３の固定資産情報データベース２０９に保存される。
【００７７】
図６では、サーバ１００が、固定資産情報プログラムの動作の下で、パソコン本体１０３およびディスプレイ装置１０５の固定資産情報を読み出す際に実行される処理を示したが、上記パソコン本体１０３の固定資産情報やディスプレイ装置１０５の固定資産情報を、サーバ１００の操作者が書き込む際においても、同様の処理が行われる。すなわち、上記パソコン本体１０３の固定資産情報プログラム２０８を起動した後、操作者が、上記パソコン本体１０３およびディスプレイ装置１０５の固定資産情報を所定の情報に書き込む指令を入力する。そうすると、上記サーバ１００は、パソコン本体１０３に、固定資産情報を書き込むコマンドを送信する。この固定資産情報を書き込むコマンドを、ネットワークを介して、パソコン装置１０３が受信する。上記コマンドを受信したパソコン装置１０３は、このコマンドの内容を解釈して、ハードディスク３０３に格納されている固定資産情報読出し書込みプログラムを起動する。上記固定資産情報読出し書込みプログラムが起動されて、このプログラムの動作の下で、上記パソコン装置１０３の制御によって、上記ハードディスク３０３に、上記コマンドと共にサーバ１００から受信したデータを用いて固定資産情報を書き込む。続いて固定資産情報読出し書込みプログラムの動作の下で、このパソコン本体１０３に接続されているディスプレイ装置１０５に対して、固定資産情報書き込みコマンドを送信する。この固定資産情報書き込みコマンドをディスプレイ装置１０５が受信すると、このディスプレイ装置１０５は、上記コマンドの内容を解釈し、このコマンドと共に受信したデータを用いてフラッシュメモリの所定のエリアに固定資産情報を書き込む。このようにして、上記サーバ１００を操作して所定の固定資産情報を入力することによって、上記パソコン本体１０３およびディスプレイ装置１０５に、固定資産情報を容易に書き込むことができる。
【００７８】
以上のように、本実施形態の固定資産情報管理システムによれば、上記一体型パソコン１０１やパソコン本体１０３やディスプレイ装置１０５などの情報機器および周辺機器の固定資産情報が、上記サーバ１００の操作のみによって容易に管理できる。つまり、多くの配置場所に配置された多数の情報機器および周辺機器について、従来におけるように情報機器および周辺機器に貼付された固定資産ラベルを逐一調べることなく、固定資産情報をサーバ１００のディスプレイ装置２０４に迅速に表示させることができる。さらに、配置場所などが変更されて固定資産情報を変更すべき情報機器などについて、上記サーバ１００のキーボード２０５で上記固定資産情報のうちの変更すべき情報を入力することによって、容易に上記固定資産情報を変更できる。また、上記サーバ１００の固定資産情報データベース２０９に格納された情報を用いて、例えば項目に関する所定の条件についての検索を実行することによって、所望の情報を少ない手間で迅速に得ることができる。
【００７９】
上記実施形態では、パソコン本体１０３に周辺機器としてのディスプレイ装置１０５を接続したが、上記周辺機器は、例えばプリンタやスキャナなどのディスプレイ装置以外の他の周辺機器を接続してもよい。この場合、上記パソコン本体１０３は、このパソコン本体１０３とプリンタおよびスキャナとを接続するＵＳＢケーブルやＳＣＳＩケーブルなどを介して、上記プリンタおよびスキャナと固定資産情報に関するデータを送受信する。
【００８０】
図１０は、他の実施形態のディスプレイ装置を示す図である。このディスプレイ装置１００１は、上記パソコン本体１０３に接続されるディスプレイ装置である。このディスプレイ装置１００１は、画像表示部１００２と、複数のボタン１００３と、電源ボタン１００４を備える。このディスプレイ装置１００１は、複数のボタン１００３のうちのＭＥＮＵボタンと、ＳＥＬＥＣＴボタンとを同時に押しながら電源ボタン１００４を押下すると、このディスプレイ装置のメモリに格納された固定資産情報が読み出されて、この固定資産情報の表１００６が上記画像表示部１００２に表示される。すなわち、上記ＭＥＮＵボタンと、ＳＥＬＥＣＴボタンと、電源ボタン１００４とで、固定資産情報の出力指令が入力される指令入力手段として機能する。したがって、このディスプレイ装置１００１が接続されているパソコン本体１０３が起動していない場合や、上記パソコン本体１０３がネットワークに接続されていない場合であっても、上記ディスプレイ装置１００１の固定資産情報が容易に確認できる。なお、上記ディスプレイ装置は、固定資産情報の表示の指令を入力するためのボタンを１つ設け、この１つのボタンを押下すると画像表示部１００２に固定資産情報の表１００６を表示するようにしてもよい。
【００８１】
【発明の効果】
以上より明らかなように、本発明の固定資産情報管理システムによれば、固定資産情報を記憶する記憶手段を有する情報機器と、ネットワークを介して上記情報機器の固定資産情報にアクセスして、上記固定資産情報を管理する固定資産情報管理手段を有するサーバとを備えたので、従来におけるような固定資産ラベルを用いるよりも、容易に情報機器の固定資産情報が管理できる。
【００８２】
１実施形態の固定資産情報管理システムによれば、上記情報機器は、上記ネットワークを介して上記サーバから指令を受信する指令受信手段と、上記指令受信手段が受信したサーバからの指令に基いて、上記記憶手段に記憶された上記固定資産情報を、上記サーバに送信する固定資産情報送信手段とを備え、上記サーバは、上記ネットワークを介して、上記情報機器に、この情報機器の固定資産情報を要求する指令を送信する指令送信手段と、上記情報機器の固定資産情報送信手段が送信した上記固定資産情報を受信する固定資産情報受信手段と、上記固定資産情報受信手段が受信した上記固定資産情報を出力する出力手段と、上記固定資産情報受信手段が受信した上記固定資産情報を格納する固定資産情報格納手段とを備えるので、上記情報機器が多数であっても、この情報機器の固定資産情報が上記サーバに容易に収集できる。
【００８３】
１実施形態の固定資産情報管理システムによれば、上記情報機器の固定資産情報は、上記情報機器の名称と、上記情報機器が配置されている場所と、上記情報機器を示す記号と、上記情報機器が購入された日付のうちの２つ以上を含む。
【００８４】
１実施形態の固定資産情報管理システムによれば、上記サーバは、情報が入力される入力手段と、上記入力手段で入力された入力情報を、上記情報機器に送信する入力情報送信手段とを備え、上記情報機器は、上記サーバの入力情報送信手段が送信した上記入力情報を受信する入力情報受信手段と、上記入力情報受信手段が受信した上記入力情報を、上記記憶手段に書き込む入力情報書込手段とを備えるので、上記サーバを操作することによって、上記情報機器に、この情報機器の固定資産情報を書き込むことができる。
【００８５】
１実施形態の固定資産情報管理システムによれば、上記情報機器は周辺機器に接続されていて、上記情報機器の記憶手段は、この情報機器の固定資産情報と、上記周辺機器の固定資産情報とを記憶するので、上記情報機器の固定資産情報と共に周辺機器の固定資産情報が管理できる。
【００８６】
１実施形態の固定資産情報管理システムによれば、上記周辺機器の固定資産情報は、上記周辺機器の名称と、上記周辺機器が配置されている場所と、上記周辺機器を示す記号と、上記周辺機器が購入された日付のうちの２つ以上を含む。
【００８７】
１実施形態の固定資産情報管理システムによれば、上記周辺機器は、上記周辺機器の固定資産情報を記憶する記憶手段と、上記情報機器から指令を受信する指令受信手段と、上記指令受信手段が受信した上記情報機器からの指令に基いて、上記記憶手段に記憶された上記固定資産情報を、上記情報機器に送信する固定資産情報送信手段とを備え、上記情報機器は、上記周辺機器に、この周辺機器の固定資産情報を要求する指令を送信する指令送信手段と、上記周辺機器の固定資産情報送信手段が送信した上記固定資産情報を受信する固定資産情報受信手段と、
上記固定資産情報受信手段が受信した上記固定資産情報を、上記情報機器の記憶手段に書き込む固定資産情報書込手段とを備えるので、上記周辺機器に、この周辺機器の固定資産情報を保持できると共に、上記周辺機器に接続された情報機器に、この周辺機器の固定資産情報を書き込むことができる。
【００８８】
１実施形態の固定資産情報管理システムによれば、上記情報機器は、情報が入力される入力手段と、上記入力手段で入力された入力情報を、上記周辺機器に送信する入力情報送信手段とを備え、上記周辺機器は、上記情報機器の入力情報送信手段で送信された上記入力情報を受信する入力情報受信手段と、上記入力情報受信手段が受信した上記入力情報を、上記周辺機器の記憶手段に書き込む入力情報書込手段とを備えるので、上記情報機器を操作することによって、上記周辺機器に、この周辺機器の固定資産情報を書き込むことができる。
【００８９】
１実施形態の固定資産情報管理システムによれば、上記周辺機器は、この周辺機器の固定資産情報を出力する出力手段を備えるので、上記周辺機器の固定資産情報を容易に確認できる。
【００９０】
１実施形態の固定資産情報管理システムによれば、上記周辺機器は、上記サーバまたは情報機器の指令に基いて、上記周辺機器の記憶手段に記憶された固定資産情報を上記出力手段に出力させる出力制御手段を備えるので、上記周辺機器の固定資産情報を、上記サーバまたは情報機器の操作によって、容易に確認できる。
【００９１】
１実施形態の固定資産情報管理システムによれば、上記周辺機器は、固定資産情報の出力指令が入力される指令入力手段を備え、上記出力制御手段は、上記指令入力手段に固定資産情報の出力指令が入力されると、上記周辺機器の記憶手段に記憶された固定資産情報を上記出力手段に出力させるので、例えば上記情報機器に接続されていない場合であっても、上記周辺機器を操作することによって、この周辺機器の固定資産情報を容易に確認できる。
【００９２】
１実施形態の固定資産情報管理システムによれば、上記周辺機器は画像表示装置であり、この画像表示装置の固定資産情報が容易に管理できる。
【図面の簡単な説明】
【図１】  本発明の実施形態の固定資産情報管理システムを示す構成図である。
【図２】  図１の固定資産情報管理システムのサーバ１００を示す構成図である。
【図３】  図１の固定資産情報管理システムのパソコン本体１０３を示す構成図である。
【図４】  図３のパソコン本体１０３に接続されたディスプレイ装置１０５を示す構成図である。
【図５】  パソコン本体１０３のハードディスク３０３に格納された固定資産情報３１０を示す図である。
【図６】  サーバ１００と、パソコン本体１０３と、ディスプレイ装置１０５とで実行される処理を示したフローチャートである。
【図７】  サーバ１００がパソコン本体１０３に固定資産情報を要求するコマンドの一例を示した図である。
【図８】  図８（ａ）、（ｂ）は、パソコン本体１０３からサーバに送信される固定資産情報のデータであって、図８（ａ）は、パソコン本体１０３とこのパソコンに接続されたディスプレイ装置１０５との固定資産情報のデータを示した図であり、図８（ｂ）は、パソコン本体１０３のみの固定資産情報のデータを示した図である。
【図９】  サーバのディスプレイ装置２０４に、固定資産情報が記された表９０１が表示された様子を示す図である。
【図１０】  他の実施形態のディスプレイ装置を示す図である。
【符号の説明】
１００  サーバ
１０３  パソコン本体
１０４  ケーブル
１０５  ディスプレイ装置
１０７  ネットワーク
【図１】
0004804679.tif 000002
【図２】
0004804679.tif 000003
【図３】
0004804679.tif 000004
【図４】
0004804679.tif 000005
【図５】
0004804679.tif 000006
【図６】
0004804679.tif 000007
【図７】
0004804679.tif 000008
【図８】
0004804679.tif 000009
【図９】
0004804679.tif 000010
【図１０】
0004804679.tif 000011